(57)【要約】      （修正有）【課題】無線パケット通信、特に、近距離無線通信システムにおいて、一つの端末が複数個の端末と同時に通信しようとする時、データを送/受信するための方法を提供する。【解決手段】送信端末（端末１）が複数個の受信端末（端末２、３）にデータを送信する際、送信端末は、複数個の受信端末に送信する互いに異なるデータのうち最大の長さを有するデータを決定し、最大の長さを有するデータの長さを長さ情報として取得する。長さ情報を含むシグナルフィールド５０１を生成し、シグナルフィールドを複数個の受信端末に送信する。同時に送信するデータフレーム５０３、５０４を受信する複数個の端末からの応答(Ａｃｋ)５１１、５１２を受信する時、受信不可区域が発生しないようにする。【選択図】図５
2020074583.tif 000002
【特許請求の範囲】
【請求項１】
無線通信システムにおいてデータを受信する方法であって、前記方法は、
第１の受信器によって、物理階層プロトコルデータ単位（ＰＰＤＵ）における第１の信号フィールドを取得するステップであって、前記ＰＰＤＵは前記第１の受信器のための第１のデータフィールドと、前記第１の受信器と異なる第２の受信器のための第２のデータフィールドとを含む複数のデータフィールドを備える、ステップと、
前記第１の受信器によって、前記ＰＰＤＵにおける第２の信号フィールドを取得するステップであって、前記第２の信号フィールドは、前記第１の受信器のための前記第１のデータフィールドの第１の長さに関する第２の情報を備え、
前記第１の信号フィールドから時間領域内の前記ＰＰＤＵにおける前記複数のデータフィールドの長さのうち最大の長さに関する第１の情報を取得するステップと、
を備え、
前記ＰＰＤＵは、前記第１の受信器のためのスクランブル情報を有する第１のサービスフィールドと、前記第２の受信器のためのスクランブル情報を有する第２のサービスフィールドとを備えることを特徴とするデータを受信する方法。
【請求項２】
前記第１の情報は、前記第１の信号フィールドの終端と前記ＰＰＤＵの終端との間の長さを示す請求項１に記載の方法。
【請求項３】
前記第２の受信器は、前記ＰＰＤＵにおける第３の信号フィールドを取得し、前記第３の信号フィールドは、前記第２の受信器のための前記第２のデータフィールドの第２の長さに関する第３の情報を備える請求項１に記載の方法。
【請求項４】
前記第１のデータフィールドの前記第１の長さは、前記第２のデータフィールドの第２の長さと異なる請求項３に記載の方法。
【請求項５】
前記ＰＰＤＵは、前記第１の受信器のための前記第１のデータフィールド、第１の物理的（ＰＨＹ）パッド部及び第１の終端部を順に含む第１のデータ部を備える請求項１に記載の方法。
【請求項６】
前記ＰＰＤＵは、前記第２の受信器のための前記第２のデータフィールド、第２のＰＨＹパッド部及び第２の終端部を順に含む第２のデータ部を備える請求項５に記載の方法。
【請求項７】
前記第１のデータ部の長さは、前記第２のデータ部の長さと等しい請求項６に記載の方法。
【請求項８】
第１のステーションであって、
メモリと、
前記メモリに動作可能に結合されたプロセッサと、
を備え、
前記メモリに格納されたプログラム命令を実行するとき、前記プロセッサは、
前記第１のステーションに、物理階層プロトコルデータ単位（ＰＰＤＵ）内の第１の信号フィールドを取得させ、前記ＰＰＤＵは、前記第１のステーションのための第１のデータフィールドと、前記第１のステーションと異なる第２のステーションのための第１のデータフィールドとを含む複数のデータフィールドを備え、
前記第１のステーションに、前記ＰＰＤＵにおける第２の信号フィールドを取得させ、前記第２の信号フィールドは、前記第１のステーションのための前記第１のデータフィールドの第１の長さに関する第２の情報を備え、
前記第１の信号フィールドから時間領域内の前記ＰＰＤＵにおける前記複数のデータフィールドの長さのうち最大の長さに関する第１の情報を取得するように構成され、
前記ＰＰＤＵは、前記第１のステーションのためのスクランブル情報を有する第１のサービスフィールドと、前記第２のステーションのためのスクランブル情報を有する第２のサービスフィールドとを備えることを特徴とする第１のステーション。
【請求項９】
前記第１の情報は、前記第１の信号フィールドの終端と前記ＰＰＤＵの終端との間の長さを示す請求項８に記載の第１のステーション。
【請求項１０】
前記第２のステーションは、前記ＰＰＤＵにおける第３の信号フィールドを取得し、前記第３の信号フィールドは、前記第２のステーションのための前記第２のデータフィールドの第２の長さに関する第３の情報を備える請求項８に記載の第１のステーション。
【請求項１１】
前記第１のデータフィールドの前記第１の長さは、前記第２のデータフィールドの第２の長さと異なる請求項８に記載の第１のステーション。
【請求項１２】
前記ＰＰＤＵは、前記第１のステーションのための前記第１のデータフィールド、第１の物理的（ＰＨＹ）パッド部及び第１の終端部を順に含む第１のデータ部を備える請求項８に記載の第１のステーション。
【請求項１３】
前記ＰＰＤＵは、前記第２のステーションのための前記第２のデータフィールド、第２のＰＨＹパッド部及び第２の終端部を順に含む第２のデータ部を備える請求項１２に記載のステーション。
【請求項１４】
前記第１のデータ部の長さは、前記第２のデータ部の長さと等しい請求項１３に記載のステーション。
【発明の詳細な説明】
【技術分野】
【０００１】
本発明は、無線パケット通信、特に、近距離無線通信システムにおいて、一つの端末が複数個の端末と同時に通信しようとする時、データを送信及び受信する方法に関する。
【背景技術】
【０００２】
無線ＬＡＮは、基本的に分散システム(以下、ＤＳという)の接続点役割をするアクセスポイント(以下、ＡＰという)と、ＡＰでない複数個の無線端末(以下、ＳＴＡという)からなるサービスセット(以下、ＢＳＳという)をサポートする。以下、ＡＰとＡＰでないＳＴＡを通称して“端末”と呼ぶ。
【０００３】
ＩＥＥＥ８０２.１１ｎ規格によると、ある端末がデータフレームを受信すると、該当データフレームが要求する応答(Ａｃｋ)に対する政策によって異なるが、ＭＡＣ階層での送信効率を上げるために短い時間間隔後に応答(ＡＣＫ)を送信する方法をよく使用している。
【０００４】
図１は、ＩＥＥＥ８０２.１１規格でＭＡＣ階層のデータ送信を説明するためのタイミング例示図である。
【０００５】
端末１が宛先を端末２にしてデータフレーム１０１を送信すると、端末２は該当するデータフレームを受信した後、予め決定されている時間である短い時間間隔(ＳＩＦＳ；ｓｈｏｒｔ ｉｎｔｅｒ ｆｒａｍｅ ｓｐａｃｅ)１２１後に応答(Ａｃｋ)１１１を送信する。図１に示すような方法が無線ＬＡＮのＭＡＣ階層でよく使用している方式である。
【０００６】
一方、最近、無線ＬＡＮを使用するユーザの急激な増加によって、一つのＢＳＳが提供するデータ処理率(ｔｈｒｏｕｇｈｐｕｔ)を増加させようとする要求が増えている。既存の無線ＬＡＮでは一つの端末がある瞬間に通信することができる端末は、一つだけであるが、ギガ級以上の処理率(ｔｈｒｏｕｇｈｐｕｔ)を提供するために、一つの端末が同時に複数個の端末と通信することができるようにする技術が研究されている。その代表的な技術が多重ユーザＭＩＭＯ(以下、ＭＵ-ＭＩＭＯという)技術及び多重周波数チャネル技術である。
【０００７】
これらの技術を使用すると、一つの端末が独立的な複数個の通信経路を介して各通信経路別に一つずつである複数個の端末とフレームを送受信しているように動作するようになるため、一つの端末が複数個の端末に同時にデータを送ることができるようになり、結果的にＢＳＳの処理率(ｔｈｒｏｕｇｈｐｕｔ)を画期的に増加させることができる。
【０００８】
然しながら、複数個の通信経路を同時に使用する端末の場合、使用する全ての通信経路に対して送信と受信を同時にすることができないという制約を有する。例えば、ある端末が通信経路１と通信経路２を同時に使用する場合、通信経路１では送信をし、通信経路２では受信をするのは不可である。
【０００９】
無線ＬＡＮで使用する全てのデータフレームは、可変長さであり、これに対する応答(Ａｃｋ)、又はブロック応答(Ｂｌｏｃｋ Ａｃｋ)は、前述したように、一般的にデータフレームの受信が終わった後、一定時間後に送信するようになっている。従って、複数個の通信経路を使用して複数個の端末に同時にデータフレームを送信する場合、各端末は、互いに異なる長さのデータフレームに対する受信が終わった後、一定時間後に応答(Ａｃｋ)を送信するようになる。即ち、最も短い長さのデータフレームを受信した端末が応答(Ａｃｋ)を送信する時点が、他の端末に送るデータフレームに対する送信が終わる以前である場合があり、該当応答(Ａｃｋ)の受信が不可な状況が発生することができる。
【００１０】
これに対し、図２を参照して説明する。
【００１１】
端末１と端末２が存在し、端末１から端末２に互いに異なる経路を介してデータを送信すると仮定する。即ち、端末１で互いに異なる長さを有するデータフレーム２(２０１)とデータフレーム３(２０２)を送信する場合、短い長さのデータフレーム２(２０１)の送信が先に完了されることができる。このような場合、データフレーム２(２０１)の長さがデータフレーム３(２０２)の長さよりＳＩＦＳ２２１ほど短い場合、端末２はデータフレーム２(２０１)の受信が終わった後、ＳＩＦＳ２２１後に応答(Ａｃｋ)２１１を送信するようになる。
【００１２】
然しながら、端末２が応答(Ａｃｋ)２１１を送信する時点に、端末１はデータフレーム３(２０２)を送信中であるため、端末２が送信した応答(Ａｃｋ)２１２を受信することができない受信不可区域２３０が発生するようになる。
【発明の概要】
【発明が解決しようとする課題】
【００１３】
従って、本発明は、前述した従来技術の問題点を解決するために、複数個の通信経路を使用する場合、各端末に送るデータフレームの長さのうち最も長いデータフレームの長さを各々の端末に知らせることができる方法を提供する。
【００１４】
また、本発明は、受信端末が最も長いデータフレームの長さほどの時間が経過した後、一定時間後に応答(Ａｃｋ)を送信するようにして受信不可区域が発生しないようにする方法を提供する。
【００１５】
本発明の目的は、以上から言及した目的に制限されるものではなく、言及されない本発明の他の目的及び長所は、下記の説明により理解されることができ、本発明の実施例により一層明らかに理解されることができる。また、本発明の目的及び長所は、特許請求の範囲に開示する手段及びその組合せにより実現可能であることを知ることができる。
【課題を解決するための手段】
【００１６】
本発明の一実施例に係る方法は、送信端末が互いに異なるデータを同時に送信するための方法であって、前記互いに異なるデータのうち最大長さを有するデータの長さ情報を獲得する過程；前記最大長さを有するデータの前記長さ情報を含む第１のシグナルフィールドを生成する過程；及び、前記第１のシグナルフィールドを全ての端末が受信可能に送信する過程；を含む。
【００１７】
本発明の他の実施例に係る方法は、複数個の受信端末に互いに異なるデータを同時に送信する送信端末から受信端末がデータを受信する方法であって、前記各受信端末に同時に送信されるデータのうち最大データ長さを有する長さ情報が含まれている第１のシグナルフィールドを受信する過程；前記データを受信する過程；及び、前記データ受信後、前記第１のシグナルフィールドに含まれている長さの情報に基づいて前記長さ情報が指示した時間後、予め決定されている時間ほど待機した後、前記受信されたデータの応答を送信する過程；を含む。
【発明の効果】
【００１８】
前述したような本発明によると、一つの端末が複数個の通信経路を用いて複数個の端末に同時にデータを送信し、それに対する応答(Ａｃｋ)を受信する時、受信不可区域が発生しないようにして円滑な通信が可能にすることができる。
【図面の簡単な説明】
【００１９】
【図１】ＩＥＥＥ８０２.１１規格でＭＡＣ階層のデータ送信を説明するためのタイミング例示図である。
【図２】無線通信システムで複数個の通信経路を使用する場合、各通信経路別データ長さによって応答信号の重畳のため問題が発生する場合の例示図である。
【図３】無線通信システムで使われる一般的なＰＰＤＵの構造の例示図である。
【図４】無線ＬＡＮで使用するシグナルフィールド(Ｓｉｇｎａｌ ｆｉｅｌｄ)の構成例示図である。
【図５】本発明の第１の実施例によってＰＨＹオーバーヘッド(ｏｖｅｒｈｅａｄ)全体を全ての端末が受信可能な通信経路を使用して送る場合のタイミング図である。
【図６】本発明の第２の実施例によってＰＨＹオーバーヘッドの一部は、全ての端末が受信可能な通信経路を使用して送り、残りは、互いに独立的な通信経路を使用して送る場合のタイミング図である。
【図７】本発明の第３の実施例によってＰＨＹオーバーヘッド全体を互いに独立的な通信経路を使用して送る場合のタイミング図である。
【図８】本発明の第４の実施例によってシグナルフィールドを２個に分けた場合の送信タイミング図である。
【図９】本発明の実施例によってＬ-ＳＩＧ長さ(Ｌｅｎｇｔｈ)を使用する場合の例示図である。
【図１０】本発明の実施例によってＬ-ＳＩＧ長さとＳＩＧのデータフレームのデータ量の長さ情報を示す場合の例示図である。
【図１１】本発明の実施例によってＬ-ＳＩＧ長さとＳＩＧ Ｂを用いる場合の例示図である。
【図１２】図１０のような方式に各々の長さを示し、ＭＰＤＵ又はＡ-ＭＰＤＵの直後にテール(Ｔａｉｌ)をもう一回追加した構造の例示図である。
【図１３】図１１のような方式に各々の長さを示し、ＭＰＤＵ又はＡ-ＭＰＤＵの直後にテールをもう一回追加した構造の例示図である。
【発明を実施するための形態】
【００２０】
前述した目的、特徴及び長所は、添付図面を参照して詳細に後述され、これによって本発明が属する技術分野において通常の知識を有する者が本発明の技術的思想を容易に実施することができる。本発明を説明するにあたって、本発明と関連する公知技術に対する具体的な説明が本発明の要旨を不要にすると判断される場合には詳細な説明を省略する。以下、添付図面を参照して本発明による好ましい実施例を詳細に説明する。図面での同じ参照符号は、同一又は類似の構成要素を示す。
【００２１】
無線通信システムは、ＭＡＣ階層と物理(ＰＨＹ)階層からなり、各々の階層は、データの処理のために必要なオーバーヘッド情報を付加するようになる。従って、ＰＨＹ階層の送信部は、ＭＡＣ階層で伝達を受けたデータにＰＨＹ階層のデータ処理のための情報を付加して無線チャネルを介して送信し、ＰＨＹ階層の受信部は、この情報を用いてＭＡＣ階層に送るデータを抽出する。
【００２２】
この時、ＰＨＹ階層で無線チャネルに出力するＰＰＤＵ(ＰＨＹ Ｐｒｏｔｏｃｏｌ Ｄａｔａ Ｕｎｉｔ)の構造は、一般的に図３の通りである。
【００２３】
ＰＨＹ階層で使用するオーバーヘッド情報は、大きく、シグナルフィールド(Ｓｉｇｎａｌ ｆｉｅｌｄ)３０１及びトレーニングフィールド(Ｔｒａｉｎｉｎｇ ｆｉｅｌｄ)３０２に分けることができる。このうちトレーニングフィールド(Ｔｒａｉｎｉｎｇ ｆｉｅｌｄ)３０２は、同期検出と無線チャネルを推定するために使われ、シグナルフィールド(Ｓｉｇｎａｌ ｆｉｅｌｄ)３０１は、ＭＡＣデータ(ＭＰＤＵ又はＡ-ＭＰＤＵ)３０３を抽出するために使われる。
【００２４】
現在、無線ＬＡＮ規格のうち最も速いデータ率(Ｄａｔａ ｒａｔｅ)を提供するＩＥＥＥ８０２.１１ｎ規格で定義しているシグナルフィールド(Ｓｉｇｎａｌ ｆｉｅｌｄ)の構成は、図４の通りである。
【００２５】
シグナルフィールドを構成する要素のうち長さ４０１情報は、該当ＰＰＤＵに含まれているＭＡＣデータの長さを示す情報であり、ＰＨＹ階層は、抽出したＭＡＣデータと共に、この長さ情報をＭＡＣ階層に伝達するようになっている。
【００２６】
本発明では、この長さ情報を用いて複数個の端末に同時に送るデータフレームの時間的な長さのうち最も長い値を各々の端末に知らせる。これを用いた通信方法に対する簡略な説明は、以下の通りである。
【００２７】
複数個の通信チャネルを同時に使用して複数個の端末に同時にデータを送信しようとする端末は、各々の端末に送るデータフレームの前にＰＨＹ階層オーバーヘッドを付加する。この時、シグナルフィールドに含まれる長さ情報は、各々の端末に同時に送るデータフレームの時間的な長さのうち最も大きい値を示すようにして送信する。従って、データを受信した端末は、データフレームの受信が終わったとしても、シグナルフィールドの長さ情報ほどの時間が経過した後に応答(Ａｃｋ)を送信するようにする。
【００２８】
このようにすると、同時にデータフレームを受信した複数個の端末が全部同じ時間に応答(Ａｃｋ)を送信することができるようになるため、既存技術を使用する時に発生する受信不可区域が発生しなくなる。
【００２９】
ここで、時間的な長さを示す方法は、全ての変調及び符号化方法(ＭＣＳ)に対して同じ時間単位に計算可能でなければならないため、データフレームを構成するシンボルの個数、又はマイクロ秒のような時間単位の長さを使用することができる。
【００３０】
以下、本発明が適用されるＰＨＹオーバーヘッドを付加する方法に対して説明する。
【００３１】
<第１の実施例>
本発明の第１の実施例では、ＰＨＹオーバーヘッド全体を全ての端末が受信可能な通信経路を使用して送る方法を使用する。以下、図５を参照して説明する。
【００３２】
図５は、本発明の第１の実施例によってＰＨＹオーバーヘッド全体を全ての端末が受信可能な通信経路を使用して送る場合のタイミング図である。
【００３３】
図５でも、前述したように、端末１が端末２及び端末３に互いに異なる長さのデータフレーム５０３、５０４を送信する場合を仮定する。
【００３４】
端末１は、ＰＨＹオーバーヘッド全体を全ての端末に送信するために、シグナルフィールド５０１及びトレーニングフィールド５０２をデータフレーム２(５０３)及びデータフレーム３(５０４)の帯域又は経路を介して送信する。この時、シグナルフィールド５０１に含まれている長さ(Ｌｅｎｇｔｈ)情報(図５に図示せず)は、データフレーム３(５０４)の長さが最も長いため、データフレーム３(５０４)の長さを指示する。即ち、シグナルフィールド５０１での矢印５００のように長さを指示するようになる。
【００３５】
その後、端末２及び端末３は、シグナルフィールド５０１の長さ情報を用いてデータフレーム２(５０３)及びデータフレーム３(５０４)を受信し、予め決定されているＳＩＦＳ５２１ほど待機した後、各々のデータフレーム５０３、５０４に対応する応答信号５１１、５１２を送信することができる。
【００３６】
<第２の実施例>
次に、本発明の第２の実施例に対して説明する。本発明の第２の実施例では、ＰＨＹオーバーヘッドの一部は、全ての端末が受信可能な通信経路を使用して送り、残りは、互いに独立的な通信経路を使用して送る方法を使用する。以下、図６を参照して説明する。
【００３７】
図６は、本発明の第２の実施例によってＰＨＹオーバーヘッドの一部は、全ての端末が受信可能な通信経路を使用して送り、残りは、互いに独立的な通信経路を使用して送る場合のタイミング図である。
【００３８】
図６でも、前述したように、端末１が端末２及び端末３に互いに異なる長さのデータフレーム６０４、６０５を送信する場合を仮定する。
【００３９】
端末１は、シグナルフィールド６０１を全ての端末が受信可能な通信経路を使用して送信する。また、トレーニングフィールド６０２、６０３は、各々のデータフレーム６０４、６０５のための経路を介してのみ送信される。即ち、データフレーム２(６０４)の検出のためのトレーニングフィールド６０２は、データフレーム２(６０４)を送信する経路を介してのみ送信される。また、データフレーム３(６０５)の検出のためのトレーニングフィールド６０３は、データフレーム３(６０５)を送信する経路を介してのみ送信される。
【００４０】
このように送信されるとしても、シグナルフィールド６０１は、データフレーム２(６０４)とデータフレーム３(６０５)のうち最も長いフレームであるデータフレーム３(６０５)の長さ値を参照符号６００のように指示しているため、端末２及び端末３は、データフレーム３(６０５)の長さを確認することができる。
【００４１】
従って、端末２及び端末３は、長さ情報が指示する値以後に予め決定されている時間であるＳＩＦＳ６２１ほど待機した後、各データフレーム６０４、６０５に対応する応答６１１、６１２を送信することができる。
【００４２】
<第３の実施例>
本発明の第３の実施例では、ＰＨＹオーバーヘッド全体を互いに独立的な通信経路を使用して送る方法である。以下、図７を参照して説明する。
【００４３】
図７は、本発明の第３の実施例によってＰＨＹオーバーヘッド全体を互いに独立的な通信経路を使用して送る場合のタイミング図である。
【００４４】
図７でも、前述したように、端末１が端末２及び端末３に互いに異なる長さのデータフレーム７０５、７０６を送信する場合を仮定する。
【００４５】
図７において、トレーニングフィールド７０１、７０２及びシグナルフィールド７０３、７０４の全ては、データフレーム７０５、７０６に対応して送信される。即ち、データフレーム２(７０５)の経路を介しては、トレーニングフィールド７０１及びシグナルフィールド７０３が送信され、データフレーム３(７０６)の経路を介しては、トレーニングフィールド７０２及びシグナルフィールド７０４が送信される。
【００４６】
この時、シグナルフィールド７０３、７０４は、データフレーム７０５、７０６のうち最も長いフレームであるデータフレーム３(７０６)の長さを参照符号７００のように指示する。即ち、互いに独立的な通信経路を使用してシグナルフィールド７０３、７０４を送る場合にも、シグナルフィールド７０３、７０４に含まれている長さ情報は同じでなければならない。
【００４７】
従って、端末２及び端末３は、データフレーム２(７０５)を受信する場合及びデータフレーム３(７０６)を受信する場合、データフレーム３(７０６)を受信し、予め決定されている時間であるＳＩＦＳ７２１ほど待機した後、各々のデータフレーム７０５、７０６に対応する応答７１１、７１２を送信する。
【００４８】
<第４の実施例>
本発明の第４の実施例では、シグナルフィールドの一部は、全ての端末が受信可能な通信経路を使用して送り、残りは、互いに独立的な通信経路を使用して送る場合のタイミング図である。以下、図８を参照して説明する。
【００４９】
図８は、本発明の第４の実施例によってシグナルフィールドを２個に分け、一つのシグナルフィールドは全体に送信し、他のシグナルフィールドは各経路に分けて送信する場合のタイミング図である。
【００５０】
図８でも、前述したように、端末１が端末２及び端末３に互いに異なる長さのデータフレーム８０６、８０７を送信する場合を仮定する。
【００５１】
図８に示したように、全体経路を介して送信されるシグナルフィールド８０１は、各データフレーム８０６、８０７のうち最も長いデータフレーム８０７に対応する長さを指示する。これによって、前述したように、互いに異なるフレームの応答時間を確認することができるようにすることである。
【００５２】
次に、トレーニングフィールド８０２、８０３は、各々、該当するデータフレーム８０６、８０７の経路を介して送信され、その以後、各データフレーム８０６、８０７の長さを指示するためのシグナルフィールド８０４、８０５が含まれる。即ち、全体経路を介して送信されるシグナルフィールド８０１は、最も長いデータフレームの長さを示す長さ１(８１０)を指示し、データフレーム２(８０６)に対応するシグナルフィールド８０４は、長さ２(８１１)を指示し、データフレーム３(８０７)に対応するシグナルフィールド８０５は、長さ３(８１２)を指示する。従って、実際データフレームの長さ８１０と各データフレーム８０６、８０７を各々のシグナルフィールドを用いて送信することができる。この時、シグナルフィールド２(８０４)に含まれる長さ情報は、時間的な長さになることもあり、データ量を示す長さ(例えば、バイト単位の長さ)になることもある。
【００５３】
その後、データフレームを受信した端末２及び端末３は、データフレーム８０６、８０７のうち最も長いフレームであるデータフレーム３(８０７)の送信が完了された時点から予め決定されている時間であるＳＩＦＳ８３１ほど待機した後、各々のデータフレーム８０６、８０７に対する応答(Ａｃｋ)８２１、８２２を送信する。
【００５４】
以上で説明した四つの実施例では、データフレームを同時に受信した端末がこれに対する応答(Ａｃｋ)又はブロック応答(Ｂｌｏｃｋ Ａｃｋ)フレームを同時に送信することを例示したが、プロトコルによって、応答(Ａｃｋ)又はブロック応答(Ｂｌｏｃｋ Ａｃｋ)を順次送るのも可能である。このような場合、最優先に送信する応答(Ａｃｋ)又はブロック応答(Ｂｌｏｃｋ Ａｃｋ)の送信時刻は、本発明により決定され、その以後に送信される応答(Ａｃｋ)又はブロック応答(Ｂｌｏｃｋ Ａｃｋ)の送信時刻は、他の方法により決定されなければならない。
【００５５】
また、以上で説明した図面を用いて説明した四つの実施例で使用した送信フレームの構造は、概念的な構造である。これを実際に適用する場合には、多様な具体的形態を有することができる。
【００５６】
無線ＬＡＮでは、既存技術との後方互換性(ｂａｃｋｗａｒｄ ｃｏｍｐａｔｉｂｉｌｉｔｙ)を非常に重要に判断するため、より発展された方法を使用する場合にも、以前の方法を使用する端末に不利益を与えてはならない。このために、新たな方法を使用するフレームの前部分に、既存の方法を使用する端末が新たな構造のフレームの長さを知ることができるように、既存方式のＰＨＹ階層オーバーヘッドを追加しなければならない。このような場合、既存方式のＰＨＹ階層オーバーヘッドのうち一つであるＬ-ＳＩＧに含まれている長さ情報を使用し、各々の端末に同時に送るデータフレームの時間的な長さのうち最も大きい値を示すことができる。
【００５７】
フレームの長さ情報を示す方法は、何マイクロ秒又は何シンボル長さなどのように時間を基準にする方法又は、何バイト又は何ワードなどのようにデータ量を基準にする方法がある。このうちいずれの方法を使用するかによって、物理階層のコーディングとデコーディングに使用するためのテールの位置が変わらなければならない。
【００５８】
これに基づき、具体的な送信フレーム構造の実施例に対し、以下の図９乃至図１３のような例示図を参照して説明する。この時、ＬＴＦは、図５のように全ての端末が受信可能な通信経路を使用して伝達することもでき、図６乃至図８のように各々の端末のみが受信可能な通信経路を使用して伝達することもできる。
【００５９】
図９は、本発明の実施例によってＬ-ＳＩＧ長さを使用して最も長いデータフレームの時間的な長さのみを示す場合の例示図である。
【００６０】
図９を参照すると、互いに異なるＭＰＤＵ又はＡ-ＭＰＤＵ９０２、９１２が送信される場合であり、以下の説明ではＭＰＤＵと仮定して説明し、各ＭＰＤＵ９０２、９１２は、互いに異なる長さを有すると仮定する。
【００６１】
このように互いに異なる長さを有するＭＰＤＵ９０２、９１２を複数個の端末に同時に送るフレームの終端位置を合わせなければならないため、差のある部分をＭＡＣ階層とＰＨＹ階層でパッド(Ｐａｄ)を挿入しなければならない。即ち、ＭＰＤＵ１(９０２)の後にＭＡＣパッド１(９０３)を挿入し、以後にＰＨＹパッド１(９０４)を挿入し、最後にテール１(９０５)が付加される。ここで、サービス(Ｓｅｒｖｉｃｅ)１フィールド９０１は、ＰＨＹ階層のスクランブルシード(Ｓｅｅｄ)を知らせるためのフィールドである。また、ＭＰＤＵ２(９１２)の後にはＭＡＣパッド２(９１３)を挿入し、以後にＰＨＹパッド２(９１４)を挿入し、最後にテール２(９１５)が付加される。ここで、サービス２フィールド９１１は、ＰＨＹ階層のスクランブルシードを知らせるためのフィールドである。
【００６２】
また、前述したように互いに異なるＭＰＤＵ９０２、９１２のうち最も長い長さによって全体長さ情報を知らせるための情報は、Ｌ-ＳＩＧ９００で長さ値を用いて参照符号９１０のように送信することができる。この時、Ｌ-ＳＩＧ長さ値をそのまま時間的な長さに使用することもでき、ある付加的な方法によりＬ-ＳＩＧ長さ値を時間的な長さに換算することもできる。
【００６３】
図１０は、本発明の実施例によってＬ-ＳＩＧ長さを使用して最も長いデータフレームの時間的な長さを示し、ＳＩＧに各々の端末に送るデータフレームのデータ量の長さ情報を含ませた場合の例示図である。
【００６４】
図１０を参照すると、互いに異なるＭＰＤＵ又はＡ-ＭＰＤＵ１０１２、１０２２が送信される場合であり、以下の説明ではＭＰＤＵと仮定して説明し、各ＭＰＤＵ１０１２、１０２２は、互いに異なる長さを有すると仮定する。
【００６５】
このように互いに異なる長さを有するＭＰＤＵ１０１２、１０２２を複数個の端末に同時に送るフレームの終端位置を合わせなければならないため、差のある部分をＭＡＣ階層とＰＨＹ階層でパッドを挿入しなければならない。即ち、ＭＰＤＵ１(１０１２)の後にＭＡＣパッド１(１０１３)を挿入し、以後にＰＨＹパッド１(１０１４)を挿入し、最後にテール１(１０１５)が付加される。ここでサービス１フィールド１０１１は、ＰＨＹ階層のスクランブルシードを知らせるためのフィールドである。また、ＭＰＤＵ２(１０２２)の後にはＭＡＣパッド２(１０２３)を挿入し、以後にＰＨＹパッド２(１０２４)を挿入し、最後にテール２(１０２５)が付加される。ここで、サービス２フィールド１０２１は、ＰＨＹ階層のスクランブルシードを知らせるためのフィールドである。
【００６６】
また、前述したように互いに異なるＭＰＤＵ１０１２、１０２２のうち最も長い長さによって全体長さ情報を知らせるための情報は、Ｌ-ＳＩＧ１０００で長さ値を用いて参照符号１０３０のように送信することができる。また、各ＭＰＤＵの情報は、ＳＩＧフィールド１００１で各々のＭＰＤＵ１０１２、１０２２をＳＩＧ長さ１、ＳＩＧ長さ２のように指示することができる。
【００６７】
このように図１０の構造を有する場合、受信端末のＰＨＹ階層は、受信されるフレームの長さほどのデータのデコーディングが終わった後、端末の受信機能をオフ(ＯＦＦ)させることができるため、使用電力を節減する効果を付随的に有することができる。
【００６８】
図１１は、本発明の実施例によってＬ-ＳＩＧ長さを使用して最も長いデータフレームの時間的な長さを示し、各々の通信経路に含まれるＳＩＧ Ｂに各々の端末に送るデータフレームのデータ量の長さ情報を含ませた場合である。
【００６９】
図１１を参照すると、互いに異なるＭＰＤＵ又はＡ-ＭＰＤＵ１１１２、１１２２が送信される場合であり、以下の説明ではＭＰＤＵと仮定して説明し、各ＭＰＤＵ１１１２、１１２２は、互いに異なる長さを有すると仮定する。
【００７０】
このように互いに異なる長さを有するＭＰＤＵ１１１２、１１２２を複数個の端末に同時に送るフレームの終端位置を合わせなければならないため、差のある部分をＭＡＣ階層とＰＨＹ階層でパッドを挿入しなければならない。即ち、ＭＰＤＵ１(１１１２)の後にＭＡＣパッド１(１１１３)を挿入し、以後にＰＨＹパッド１(１１１４)を挿入し、最後にテール１(１１１５)が付加される。ここでサービス１フィールド１１１１は、ＰＨＹ階層のスクランブルシードを知らせるためのフィールドであり、ＳＩＧ Ｂ１(１１１０)は、ＭＰＤＵ１(１１１２)の長さを指示するためのフィールドである。
【００７１】
また、ＭＰＤＵ２(１１２２)の後にはＭＡＣパッド２(１１２３)を挿入し、以後にＰＨＹパッド２(１１２４)を挿入し、最後にテール２(１１２５)が付加される。ここで、サービス２フィールド１１２１は、ＰＨＹ階層のスクランブルシードを知らせるためのフィールドであり、ＳＩＧ Ｂ２(１１２０)は、ＭＰＤＵ２(１１２２)の長さを指示するためのフィールドである。
【００７２】
また、前述したように互いに異なるＭＰＤＵ１１１２、１１２２のうち最も長い長さによって全体長さ情報を知らせるための情報は、Ｌ-ＳＩＧ１１０１で長さ値を用いて参照符号１１８０のように送信することができる。また、各ＭＰＤＵの情報は、ＳＩＧ Ｂ１フィールド１１１０及びＳＩＧ Ｂ２フィールド１１２０で各々のＭＰＤＵ１１１２、１１２２をＳＩＧ長さ１、ＳＩＧ長さ２のように指示することができる。
【００７３】
図１１の構造も、受信端末のＰＨＹ階層は、受信されるフレームの長さほどのデータのデコーディングが終わった後、端末の受信機能をオフ(ＯＦＦ)させることができるため、使用電力を節減する効果を付随的に有することができる。
【００７４】
図１２及び図１３は、各々、図１０及び図１１のような方式に各々の長さを示し、ＭＰＤＵ又はＡ-ＭＰＤＵの直後にテールをもう一回追加した構造である。この構造を使用すると、ＭＰＤＵ又はＡ-ＭＰＤＵのデコーディングがテールＡ後に終わることができるため、図１０及び図１１の構造より受信端での電力節減効果がさらに大きい。
【００７５】
以上で説明した本発明は、本発明が属する技術分野において通常の知識を有する者が本発明の技術的思想を外れない範囲内で多様な置換、変形、及び変更が可能であるため、前述した実施例及び添付図面により限定されるものではない。
【産業上の利用可能性】
【００７６】
無線通信システム、特に、多重ユーザ多重接続方式を使用する無線通信システム分野に使われることができる。
【図１】
2020074583.tif 000003
【図２】
2020074583.tif 000004
【図３】
2020074583.tif 000005
【図４】
2020074583.tif 000006
【図５】
2020074583.tif 000007
【図６】
2020074583.tif 000008
【図７】
2020074583.tif 000009
【図８】
2020074583.tif 000010
【図９】
2020074583.tif 000011
【図１０】
2020074583.tif 000012
【図１１】
2020074583.tif 000013
【図１２】
2020074583.tif 000014
【図１３】
2020074583.tif 000015